(57)【要約】【課題】  色識別性が良くて眩しさを感じさせることも無く、室内の壁面下部に設置して床面照明を適切におこなうことのできる照明装置を提供すること。【解決手段】  異なる色をもった複数の光が導光され前面側の光透過カバー２を通して照明するよう器体３内に電源回路ＤＣとともに発光素子４が納装されて成る照明装置である。発光素子４への通電電流を調整する調整手段を器体３前面から操作可能とさせて成る。光透過カバー２背面側の導光板背後に配設される光反射板を、器体３前側の取付け用枠体と一体に形成させてもよい。【選択図】図１
2005243256.tif 000002
【特許請求の範囲】
【請求項１】
異なる色をもった複数の光が導光され前面側の光透過カバーを通して照明するよう器体内に電源回路とともに発光素子が納装されて成る照明装置であって、
前記発光素子への通電電流を調整する調整手段を前記器体前面から操作可能とさせて成ることを特徴とする照明装置。
【請求項２】
異なる色をもった複数の光が導光され前面側の光透過カバーを通して照明するよう器体内に電源回路とともに発光素子が納装されて成る照明装置であって、
前記器体前方に人がいることを検知する人検知手段を付設し、同人検知手段によって人が検知されたときに前記発光素子への通電電流を暫増して点灯させ、人がいなくなったことが検知されたときに前記発光素子への通電電流を暫減し消灯させて成ることを特徴とする照明装置。
【請求項３】
異なる色をもった複数の光が導光され前面側の光透過カバーを通して照明するよう器体内に電源回路とともに発光素子が納装されて成る照明装置であって、
前記発光素子への通電電流値が発光素子と直列及び並列に接続された可変抵抗に基づき、且つ各発光素子の個別の通電電流を調整する調整手段をそれぞれに並列接続された可変抵抗であるものにしたことを特徴とする照明装置。
【請求項４】
請求項１〜請求項３いずれかに記載の光透過カバー背面側の導光板背後に配設される光反射板を、前記器体前側の取付け用枠体と一体に形成させて成る配線器具型の照明装置。
【発明の詳細な説明】
【技術分野】
【０００１】
本発明は照明装置に関し、特に室内の壁面下部に設置されて床面照明をおこなう配線器具型の照明装置に関する。
【背景技術】
【０００２】
従来から、この種の照明装置としては白熱灯を使用したものが知られているが、最近、光源となる発光素子にＬＥＤ素子を用いた橙色の単波長ＬＥＤ素子や白色ＬＥＤ素子を使用した、足元灯とよばれる配線器具型の照明装置が提案されている。
【０００３】
上記ＬＥＤ素子を使用した場合において、一般に、橙色の単色ＬＥＤ素子による光源の環境下にあっては色識別性が低いという問題が有り、また、白色ＬＥＤ素子による光源では光源の色温度が高いことにより、夜間等の人が半覚醒状態において使用する照明としては眩しく感じやすいということが懸念されている。したがって、色識別性が良くて、且つ眩しさを感させない光源をもった足元灯への要望が高まってきている。
【０００４】
光源としてＬＥＤ素子を用いて眩しさを感させないためのＬＥＤ素子の輝度調整の技術として、例えば特開平６−１７７４２６号公報に開示されている、図９、１０に示す、発光ダイオード素子１０１及び可変抵抗器１０２を一体的にケース１０３に収容した、可変抵抗内蔵型発光ダイオード１００や、白色の発光を得る技術として特開２００２−３２９５８７号公報に開示されている、ケース内に複数個の発光素子を光透過性材料で封止してなるＬＥＤランプであって、前記複数個の発光素子は、外部電源に対して全て直列に接続されており、前記複数個の発光素子は、少なくとも１個の赤色発光素子と、少なくとも１個の緑色発光素子と、少なくとも１個の青色発光素子であるＬＥＤランプが知られている。
【０００５】
しかしながら、上記の場合には、ＬＥＤ素子そのものの輝度調整をおこなったり、同じ電流値で白色発光が得られる発光素子の組み合わせをより容易に選択することができるようにした技術であり、室内の壁面下部に設置させて床面照明をおこなう足元灯の光源としては適切でないという問題があった。
【特許文献１】特開平６−１７７４２６号公報
【特許文献２】特開２００２−３２９５８７号公報
【発明の開示】
【発明が解決しようとする課題】
【０００６】
本願発明は、上記背景技術に鑑みてなされたものであり、その課題は、色識別性が良くて眩しさを感じさせることも無く、室内の壁面下部に設置して床面照明を適切におこなうことのできる照明装置を提供することである。
【課題を解決するための手段】
【０００７】
上記課題を解決するために、本願発明の照明装置は、異なる色をもった複数の光が導光され前面側の光透過カバーを通して照明するよう器体内に電源回路とともに発光素子が納装されて成る照明装置であって、前記発光素子への通電電流を調整する調整手段を前記器体前面から操作可能とさせて成ることとしている。
【０００８】
また、前記器体前方に人がいることを検知する人検知手段を付設し、同人検知手段によって人が検知されたときに前記発光素子への通電電流を暫増して点灯させ、人がいなくなったことが検知されたときに前記発光素子への通電電流を暫減し消灯させて成ることとしている。
【０００９】
また、前記発光素子への通電電流値が発光素子と直列及び並列に接続された可変抵抗に基づき、且つ各発光素子の個別の通電電流を調整する調整手段をそれぞれに並列接続された可変抵抗であることとしている。
【００１０】
そして、前記記載の光透過カバー背面側の導光板背後に配設される光反射板を、前記器体前側の取付け用枠体と一体に形成させることが好ましい。
【発明の効果】
【００１１】
本願発明の照明装置においては、器体内に電源回路とともに設けられた複数の異なる色をもった発光素子による光が、器体前面からそれへの通電電流が調整操作されて輝度調整可能で且つ混色照明するので、色識別性が良くて眩しさを感じさせることが無く、以って、室内の壁面下部に設置して床面照明を適切におこなうことができる。
【００１２】
また、器体前方に人がいることを検知する人検知手段を有するものにあっては、その人検知手段によって人が検知されたときに発光素子による光がフェードイン点灯されて明るくなり、人がいなくなったことが検知されたときには同発光素子による光がフェードアウトし消灯されるので、深夜などの暗いときに点灯しても眩しさで覚醒することがより少なくなり、また、急に消灯して足元が見えなくなることも無く、以って、使い勝手が良い。
【００１３】
また、複数の異なる色をもったそれぞれの発光素子による光が、各発光素子と並列に接続された可変抵抗の抵抗値を調整して変えられるので、照明の明るさと同時に混色による照明色も変えることが出来て演色性が向上する。
【００１４】
さらに、発光素子から導光された光が、器体前側の取付け用枠体と一体に形成された光反射板にて反射されて光透過カバーを透過するようになるため、部品削減が可能と成る。
【発明を実施するための最良の形態】
【００１５】
図１〜６は、本願の請求項１乃至請求項４に対応した一実施形態である照明装置を示している。この実施形態の照明装置１は、背景技術の項にて説明した室内の壁面下部に設置されて床面照明をおこなう足元灯とよばれる配線器具型の照明装置で、図１、２の概略説明のための前面カバー３８を外した状態の正面図、及び斜視図に示す如く、異なる色をもった複数の光が導光され前面側の光透過カバー２を通して照明するよう器体３内に電源回路とともに発光素子４が納装されて成る照明装置であって、発光素子４への通電電流を調整する調整手段を器体３前面から操作可能とさせている。
【００１６】
この場合、器体３前方に人がいることを検知する人検知手段となる人検知センサ５を付設し、人検知センサ５によって人が検知されたときに前記発光素子への通電電流を暫増して点灯させ、人がいなくなったことが検知されたときに前記発光素子への通電電流を暫減し消灯させてもいる。また、前記発光素子への通電電流値が発光素子と直列及び並列に接続された可変抵抗に基づき、且つ各発光素子の個別の通電電流を調整する調整手段が並列に接続された可変抵抗であることとしてもいる。
【００１７】
詳しくは、照明装置１は、光透過カバー２が前面に装着されるよう構成された器体３内部に、電源回路ＤＣとともに発光素子４が納装されて成るものであり、この場合、器体３は、前側の取付け用枠体３１と、ボディ３６と、前面カバー３８とを有している。
【００１８】
取付け用枠体３１は、変性ＰＰ０樹脂のＬＥＤ用グレード樹脂のような、強度面において、配線器具取り付け枠としての使用に適合する程度に高強度で且つ光反射率も高い樹脂にて、その前面に装着されるアクリル樹脂等の透明合成樹脂材料製の光透過カバー２背面側の光反射板３２を一体に有して成る。この場合、後述する人検知センサ５の検知窓を露出させる上部の小開口３３と、室内の壁面下部において、当該配線器具型の照明装置である足元灯とともに設置されて最適な差込み接続器８の前面を露出させる大開口３４とを有している。また、この取付け用枠体３１には、後述する発光素子４への通電電流を調整する調整手段を器体３前面から操作させる調整孔３５、３５が設けられており、着脱可能となるよう形成された前面カバー３８を装着させることにより、使用状態にあっては光透過カバー２、人検知センサ５及び差込み接続器８部分を露出させ、調整孔３５、３５が前面カバー３８によって隠蔽されるようになっており、使用状態にて器体３前面から上記調整手段が不用意に操作されないものとなる。
【００１９】
発光素子４は、光源として２色以上、すなわち複数の光を１パッケージにしたチップ型ＬＥＤ素子にて形成される。この場合、発光素子４は、図３に示すように、２つのものが、電源回路ＤＣとともに発光素子４への通電電流を調整する調整手段となる可変抵抗器ＶＲ、焦電センサユニットにて形成される人検知センサ５らと、回路基板７前側に実装される。また可変抵抗器ＶＲは、上記調整孔３５、３５から露出するよう２つのものが配設される。光透過カバー２背面側で発光素子４前側には、アクリル樹脂製の導光板６が配設されて、発光素子４から出射した複数の光が混色される。人検知センサ５前側には、フレネルレンズが刻設されたポリエチレン樹脂製のレンズカバー３７が小開口３３に配設され、照明装置１前方に人がいるときに人から発せられる遠赤外線を集光し、人検知センサ５内部へ導く。
【００２０】
発光素子４として、青緑色と黄色のベアチップを有している２色ＬＥＤ素子を用いた実施例の回路図を図４に示す。従来、単色ＬＥＤ素子の場合には、背景技術の項にて示したように、ＬＥＤ素子に直列に接続した可変抵抗で通電電流を調整するようにしていた。また、光源として２色以上のＬＥＤ素子を用いた場合に、同様にして各色のチップを直列に接続するようにしたときにはそれぞれの発光色とも同じ通電電流値にしか調整できないものとなる。また、並列に接続したときには一方の通電電流を絞ると他方の通電電流が増加することとなって明るさ調整が難しいものとなる。本実施例にあっては、発光素子４（ＬＤ１、ＬＤ２）の各色を、可変抵抗器ＶＲ１、ＶＲ２にて独立に調整でき、明るさと、混合発光色の両方を調整することが出来る。
【００２１】
この場合、発光素子４への通電電流は、人検知センサ５によって人が検知されたときに暫増して点灯し、人がいなくなったことが検知されたときに発光素子４への通電電流を暫減し消灯するよう、電源回路ＤＣからの電源電圧が人検知センサ５による接点Ｓの開閉により暫減あるいは暫増するよう、電源回路ＤＣと並列に抵抗器Ｒ１を介して電圧安定化用コンデンサＣ１を設けている。すなわち、接点Ｓが閉路したときは、コンデンサＣ１に電荷が溜まるまで抵抗器Ｒ１を通じて徐々に発光素子４（ＬＤ１、ＬＤ２）への通電電流が、同図（ａ）に矢印で示す方向に徐々に増加しつつ流れ、逆に電荷が溜まった状態で接点Ｓが開路したときには、電荷がなくなるまでコンデンサＣ１から同図（ｂ）に矢印で示す方向に、抵抗器Ｒ１を通じて徐々に減少しつつ流れて発光素子４（ＬＤ１、ＬＤ２）の輝度が徐々に低下し消灯するのである。
【００２２】
また、実施例の如く青緑色と黄色のベアチップを有している２色ＬＥＤ素子を用いた色識別性に関しては、図５の色度図において、図中において白色発光領域となる領域Ｗの面積が広いほど好ましく、この場合、当然単色のＬＥＤ素子を用いたときより好ましい。
【００２３】
この実施形態の照明装置においては、従来良く知られている配線器具型の足元灯と同じく、図６に示すように、本体の下部に差込み接続器８が配設されて前面カバー３８が装着され、その後、器体３の取付け用枠体３１を介して室内の壁面下部に設けられた配線用埋め込みボックスへ取り付け、合成樹脂製の配線用プレートが装着され設置される。そして、人検知センサ５によってその検知領域Ａに人が検知されたときに発光素子４による光がフェードイン点灯されて明るくなり、検知領域Ａを人が通過し、人がいなくなったことが検知されたときには発光素子４による光がフェードアウトし消灯されるのである。
【００２４】
また、器体３内に電源回路ＤＣとともに設けられた複数の異なる色をもった発光素子４による光が、器体３前面に設けられた調整孔３５、３５にドライバーの先端を差し込んで可変抵抗器ＶＲ１、ＶＲ２の調整ネジ頭を独立に調整して、発光素子４への通電電流を調整操作されて輝度調整可能で且つ混色照明するのである。調整したのち、前面カバー３８が装着され調整孔３５、３５が隠れるようになっているが、化粧カバーとなる前面カバー３８は、電気工事士などの資格の無い使用者が外して発光素子４への通電電流を調整操作出来るので、好みに合わせて調整することが可能となり使用性が優れるものとなる。
【００２５】
したがって、以上説明した照明装置１によると、器体３内に電源回路ＤＣとともに設けられた複数の異なる色をもった発光素子４による光が、器体３前面からそれへの通電電流が調整操作されて輝度調整可能で且つ混色照明するので、色識別性が良くて眩しさを感じさせることが無く、以って、室内の壁面下部に設置して床面照明を適切におこなうことができる。
【００２６】
また、器体３前方に人がいることを検知する人検知手段を有するものにあっては、その人検知手段によって人が検知されたときに発光素子４による光がフェードイン点灯されて明るくなり、人がいなくなったことが検知されたときには同発光素子４による光がフェードアウトし消灯されるので、深夜などの暗いときに点灯しても眩しさで覚醒することがより少なくなり、また、急に消灯して足元が見えなくなることも無く、以って、使い勝手が良い。
【００２７】
また、複数の異なる色をもったそれぞれの発光素子４による光が、各発光素子４と並列に接続された可変抵抗ＶＲ１、ＶＲ２の抵抗値を調整して変えられるので、照明の明るさと同時に混色による照明色も変えることが出来て演色性が向上する。
【００２８】
さらに、発光素子４から導光された光が、器体３前側の取付け用枠体３１と一体に形成された光反射板にて反射されて光透過カバー２を透過するようになるため、部品削減が可能と成る。
【図面の簡単な説明】
【００２９】
【図１】本願発明の一実施形態である照明装置の前面カバーを外した状態の正面図。
【図２】同照明装置の外観を示す斜視図。
【図３】同照明装置の概略構成を示す分解斜視図。
【図４】同照明装置の内部回路の概略を示す説明図。
【図５】同照明装置の発光素子による作用を示す説明図。
【図６】同照明装置の使用状態の説明図。
【図７】同照明装置の内部回路の他実施形態を示す概略構成図。
【図８】同照明装置の内部回路のさらに別の実施形態を示す概略構成図。
【図９】従来例である照明装置の全体を示す斜視図。
【図１０】同照明装置の内部回路を示す概略構成図。
【符号の説明】
【００３０】
１      照明装置
２      光透過カバー
３      器体
３１      取付け用枠体
３２      光反射板
３５、３５      調整孔
４      発光素子
５      人検知センサ（人検知手段）
６      導光板
ＤＣ      電源回路
ＶＲ１、ＶＲ２      可変抵抗器（調整手段）
【図１】
2005243256.tif 000003
【図２】
2005243256.tif 000004
【図３】
2005243256.tif 000005
【図４】
2005243256.tif 000006
【図５】
2005243256.tif 000007
【図６】
2005243256.tif 000008
【図７】
2005243256.tif 000009
【図８】
2005243256.tif 000010
【図９】
2005243256.tif 000011
【図１０】
2005243256.tif 000012